(57)【特許請求の範囲】
【請求項１】
可撓性を有する矩形または楕円形あるいは台形もしくは扇状形のシート状部材と、当該シート状部材の長辺を円筒形状に丸めた後に手を放して拡開させた場合、丸められている円筒形状の内側にある一方の短辺付近の長辺部分を、常に外側の長辺と同じ高さに維持して互いに平行を保ちながらスムーズに円筒形状を拡開させるための他方の短辺近くに設けられたガイドと、丸めたシート状部材の円筒形状が弾力によりほぼ最大径まで拡開した時自動的に拡開を止めて円筒形状を保持するために、前記ガイドが設けられている短辺側とは反対側の短辺の近くに設けられたストッパーとを備え、
前記ガイドは、シート状部材の短辺の最大長さより出来るだけ僅かに長い長さとシート状部材の厚みより僅かに広くシート状部材が抵抗なく通ることが出来る幅を持つ隙間を有し、シート状部材をその隙間に通して円筒形状に丸めた後に手を放して拡開させた場合、シート状部材がその隙間から外れないことを特徴とする袋自立具。
【発明の詳細な説明】
【技術分野】
【０００１】
本発明は、柔軟性のある袋を自立させ、物入れとして使用し易くする方法に関するものである。
【背景技術】
【０００２】
従来、柔軟性のある袋を１枚のシート状部材を使用して自立させその中に物を入れ易くする方法に、下記特許文献１および文献２のような可撓性のあるシート状部材を円筒形状に丸めて袋の内側に差し込み、そのシート状部材が平面状に戻ろうとする弾力によって円筒形状を袋の径まで拡開させて袋を自立させる方法と、特許文献３および文献４のように、同じくシート状部材を円筒形状に丸めるが、自立させようとする袋の径の大きさに合わせてシート状部材の円筒形状の径を何らかの方法によって固定した後、袋を内側または外側に密着させて自立させる方法があった。
【先行技術文献】
【特許文献】
【０００３】
【特許文献１】実用新案登録第３１７０７７１号
【特許文献２】特開２００７−８７１８
【特許文献３】特開平１１−２７８４９８
【特許文献４】実用新案登録第３０６７０５３号
【発明の概要】
【発明が解決しようとする課題】
【０００４】
上記従来の、柔軟性のある袋をシート状部材によって自立させる二つの方法の内、第１の方法は、袋の内側に円筒形状に丸めた可撓性のあるシート状部材を差し込んで、シート状部材の平面状に戻ろうとする弾力により袋の最大径まで拡開して固定する方法であるため、シート状部材は常に袋の内側に差し込まねばならない。そのため袋に物を入れた場合、必ず入れた物とシート状部材が直接接触してシート状部材は汚れてしまい、同じものを連続的に多数の袋に入れる場合は良いが、連続的に使用しない場合は収納時にその都度洗わねばならないと言う欠点があった。また、袋の径の大きさがシート状部材の円筒形状の最大径以上の場合は、円筒形状が崩れてかまぼこ形状に拡開するか、拡開し過ぎて袋の底の面積が小さくなって袋が自立出来ないという問題があった。一方第２の方法も、袋を被せる前に円筒形状に丸めたシート状部材の径を袋の径に合わせて何らかの方法によって固定しなくてはならず、径の大きさが一定の袋に使用する場合は良いが、様々の大きさのポリ袋や商品の包装用袋等を内側にセットして一時的なゴミ袋等として使用したい場合は、袋の径に合わせていちいち固定位置を変えなくてはならず簡便性に欠けるという問題点があった。本発明はこれらの問題を解決するためになされたものである。  
【課題を解決するための手段】
【０００５】
そこで、この発明にかかる柔軟性のある袋の自立具は、可撓性を有する矩形または楕円形あるいは台形もしくは扇状形のシート状部材（以降シート状部材と言う）と、当該シート状部材の長辺を円筒形状に丸めた後に手を放して拡開させた場合、丸められている円筒形状の内側にある一方の短辺付近の長辺部分を、常に外側の長辺と同じ高さに維持して互いに平行を保ちながらスムーズに円筒形状を拡開させるための他方の短辺近くに設けられたガイドと、丸めたシート状部材の円筒形状が弾力によりほぼ最大径まで拡開した時自動的に拡開を止めて円筒形状を保持するために、ガイドが設けられている短辺側とは反対側の短辺の近くにストッパーが設けられていることを特徴とする。
【発明の効果】
【０００６】
柔軟性のある袋を自立させるためのシート状部材にガイドとストッパーを設けたことにより、シート状部材を丸めた状態で柔軟性のある袋を上部に被せ、袋の底を円筒形の中に裏返すように押し込みながら手を放した場合、シート状部材の円筒形状は下部の外側に袋が無くても上部のみに被せた袋の径で自動的に拡開が止まり円筒形状が保持されるか、または袋の径がシート状部材を丸めた円筒形状の最大径より大きい場合でもストッパーにより拡開が止まって円筒形状が保持され、いずれも袋の上部がシート状部材の外側に折り返えされ、袋は裏返しにされた状態でシート状部材の内側にセットされた状態となる。そのため、シート状部材は入れた物と接触すること無く汚れず毎回洗う必要も無くなった。また、シート状部材で丸めることが出来る円筒形状の最少径以上の径を持つ袋であれば、袋の径によってシート状部材の固定位置をいちいち変える必要もなく、柔軟性のある袋を容易に自立させることが出来るようになり、多種のサイズの包装用袋やスーパー等で使用される種々の袋なども捨てることなく、簡便な一時的小ゴミ袋として使用が可能になった。
【図面の簡単な説明】
【０００７】
【図１】本発明の実施例１の説明図
【図２】本発明の実施例１の一部切り欠いた部分的詳細説明図
【図３】本発明の実施例１の一部切り欠いた部分的詳細説明図
【図４】本発明の実施例１の部分的詳細説明図
【図５】本発明を実際に使用する場合の説明図
【図６】本発明を実際に使用する場合の説明図
【図７】本発明を実際に使用する場合の説明図
【図８】本発明を実際に使用する場合の説明図
【図９】本発明を実際に使用する場合の説明図
【図１０】本発明を実際に使用する場合の説明図
【図１１】本発明の実施例２の部分的詳細説明図
【図１２】本発明の実施例２の部分的詳細説明図
【発明を実施するための形態】
【実施例１】
【０００８】
本発明の実施例１を説明する。
この発明の柔軟性のある袋の自立具は、図１に示すように、可撓性を有する矩形のシート状部材１と、当該シート状部材の長辺１−１を円筒形状に丸めた後に手を放して拡開させた場合、丸められている円筒形状の内側にある一方の短辺１−２付近の長辺部分１−３を、常に外側の長辺１−１と同じ高さに維持して互いに平行を保ちながらスムーズに円筒形状を拡開させるための他方の短辺１−４の近くに設けられたガイド２と、丸めたシート状部材１の円筒形状が弾力によりほぼ最大径まで拡開した時自動的に拡開を止めて円筒形状を保持するために、ガイド２が設けられている短辺側とは反対側の短辺１−２の近くにストッパー３−１、３−２が左右に設けられている。なお、シート状部材の形状は楕円形あるいは台形もしくは扇状形であっても良い。    
【０００９】
前述の、他方の短辺１−４の近くに設けられたガイド２は、図２で示すように、シート状部材がスムースに通れるようなシート状部材の平面１−５との隙間２−1を持ち、反対の短辺１−２までのシート部材の最大短辺長さより若干長くなるように左右にゆとり長さ２−２と２−３を持つスリット長さ２−４を有するゲート２−５を備えている。当該ゲート２−５は、短辺１−４付近の平面が湾曲して隙間２−１が狭くなりシート状部材の通りを妨げないようシート状部材の平面１−５の裏面１−６側に設けられた曲がり難い補強材の湾曲防止２−６と一体となっていて、その湾曲防止２−６の平面部２−７はシート状部材１と何らかの方法で固定されている。なお、ゲート２−５は図３に示すように、隙間２−１に通されたシート状部材が円筒形状を拡開している時に隙間２−１から外れなければ、連続ではなく左ゲート２−５−１、右ゲート２−５−２のように離れて設置しても良い。また、湾曲防止２−６は、ゲート２−５が曲り難い材質や形状で有りシート部材１に固定できる機能を備えていれば無くても良い。
【００１０】
前述の、短辺１−２の近くの左右に設けられているストッパー３−１、３−２は同じ機構なのでストッパー３−１のみを説明する。図４に示すように、シート状部材１の平面を小さなコの字形３−３に打ち抜き、そのコの字形３−３のカットされた側の先端３−４は短辺１−４の方向に向いていて、ゲート２−５が設けられている平面１−５側にシート状部材１と連結されている連結部３−５を起点に起こされている。その起こし距離３−６は隙間２−１以上の高さで、シート状部材１を丸めた円筒形状の最大径以上に拡開した時にストッパー３−１、３−２がゲート２−５にひっかかり拡開が止まるようになっている。ストパー３はこの実施例では2個設けられているが、1個又は３個以上であっても良い。また、何処かの部分がシート状部材１と連結されていれば形状はコの字形以外でも良く、カットされた側の先端３−４の方向はゲート２−５に引っ掛かかればどの方向でも良い。
【００１１】
この実施形態実施例１の柔軟性のある袋の自立具を実際に使用する場合は、図５に示すようにシート状部材１を短辺１−２が内側になるような状態でガイド２のゲート２−５の隙間２−１に差し込み、図６に示すように円筒形状に丸める。その状態を手５で保持しながら図７に示すように自立させたい柔軟性のある袋４をシート状部材１の円筒形状の上部に被せ、図８に示すように袋４の底４−１を他方の手６で円筒形状の中に袋を裏返す要領で押し込みながらシート状部材１の円筒形状を手５を放して拡開させ、図９に示すように、柔軟性のある袋の径４−２がシート状部材の最大径より小さい場合はストッパー３による固定では無く上部に被せた袋の径４−２で固定され、図１０に示すように、柔軟性のある袋の径４−２がシート状部材の最大径より大きい場合はストッパー３により円筒形状は固定され、いずれも袋の上部が外に折り返えされ、袋は裏返しにされた状態でシート状部材の内側にセットされて簡便な一時的小ゴミ袋として使用可能となる。物を入れた後は、シート状部材１の円筒形状の径を巻戻すように若干円筒形状の径を小さくし、袋４を外してゴミと共に捨てる。この袋自立具を収納する時は、可撓性のあるストッパー３−１、３−２を指で押さえてゲート２−５の隙間２−１の高さより起こし距離３−６を低くしてシート状部材の短辺１−２をゲート２−５から外して平面のシート状で収納する。また、シート状部材に貫通穴や磁石を設けて、収納用の吊るし紐を取付けたり、磁石が効く場所に吊るして収納することは広く用いられている。
【実施例２】
【００１２】
本発明の実施例２を説明する。
この実施例２の袋自立具は、実施例１と本質的には変化はないが、ガイド２を別部品で製作してシート状部材１と接続するのでは無く、ガイド２をシート状部材１を折り曲げることにより一体で作り出すことにある。具体的には図１１に示すようにシート状部材１００−１の一方の短辺の長さ１００−１−４を、ガイド１００−２を折り曲げて作るのに必要な長辺側の長さ１００−１−７だけ実施例１の短辺１−４より長くし、その中に実施例１と同様のゲート１００−２−５が折り曲げた時に出来る様隙間の穴１００−２−１を２個打ち抜いておく。それを図１２に示すように折り曲げてガイド１００−２を作る。
ガイド１００−２の機能は実施例１と同様である。
【符号の説明】
【００１３】
１          シート状部材
１−１      長辺
１−２      円筒形状の内側にある短辺
１−３      円筒形状の内側にある短辺付近の長辺部分
１−４      他方の短辺
１−５      平面
１−６      裏面
２          ガイド
２−１      隙間
２−２      ゆとり長さ右
２−３      ゆとり長さ左
２−４      スリット長さ
２−５      ゲート
２−５−１  左ゲート
２−５−２  右ゲート
２−６      湾曲防止
２−７      平面部
３          ストッパー
３−１      ストッパー右
３−２      ストッパー左    
３−３      コの字形
３−４      先端
３−５      連結部
３−６      起こし距離
４          柔軟性のある袋
４−１      袋の底
４−２      袋の径
５          手
６          他方の手
１００−１  実施例２のシート状部材
１００−１−４  実施例２の他方の短辺
１００−１−７  実施例２の折り曲げて作るのに必要な長辺側の長さ
１００−２      実施例２のガイド
１００−２−１  実施例２の隙間の穴
１００−２−５  実施例２のゲート
【図１】
0006007363.tif 000002
【図２】
0006007363.tif 000003
【図３】
0006007363.tif 000004
【図４】
0006007363.tif 000005
【図５】
0006007363.tif 000006
【図６】
0006007363.tif 000007
【図７】
0006007363.tif 000008
【図８】
0006007363.tif 000009
【図９】
0006007363.tif 000010
【図１０】
0006007363.tif 000011
【図１１】
0006007363.tif 000012
【図１２】
0006007363.tif 000013